(57)【要約】【課題】ＩＣカードのＩＣチップ等のメモリに格納される情報をバックアップすることができるＩＣカードリーダライタ装置およびＩＣカードを提供する。【解決手段】ＩＣチップ１５への所定の情報の書き込み、および読み取りを行うＩＣカード読取手段１０９とで構成されたＩＣカード読取書込部４１と、可逆性感熱記録媒体１３への２次元コードの印字、および消去を行う印字消去部３８と、ＩＣカード読取書込部４１および印字消去部３８を制御する制御回路７１と、ＩＣカード読取書込部４１で読み取ったおよび／または書き込む情報を２次元コードとして印字可能なデータに変換するデータ変換手段１０５とを備える。制御回路７１は、データ変換手段１０５で変換されたデータに基づいて印字消去部３８を制御して、ＩＣチップ１５に格納された所定の情報のうちの少なくとも一部を、可逆性感熱記録媒体１３にバックアップとして印字する。【選択図】図７
2005056047.tif 000002
【特許請求の範囲】
【請求項１】
２次元コードを印字および消去可能な可逆性感熱記録手段と、所定の情報を格納する情報格納手段とを有するＩＣカードに情報の読み書きを行うＩＣカードリーダライタ装置であって、
上記情報格納手段に上記所定の情報を書き込むＩＣカード書込手段と、上記情報格納手段に格納された情報を読み取るＩＣカード読取手段とで構成されたＩＣカード読取書込部と、
上記可逆性感熱記録手段に２次元コードを印字する印字手段と、上記可逆性感熱記録手段に印字された２次元コードを消去する消去手段とで構成された印字消去部と、
上記ＩＣカード読取書込部および上記印字消去部を制御する制御手段と、
上記ＩＣカード読取書込部で読み取ったおよび／または書き込む情報を２次元コードとして印字可能なデータに変換するデータ変換手段とを備え、
上記制御手段は、上記データ変換手段で変換されたデータに基づいて上記印字消去部を制御して、上記情報格納手段に格納された所定の情報のうちの少なくとも一部を、上記可逆性感熱記録手段にバックアップとして印字することを特徴とするＩＣカードリーダライタ装置。
【請求項２】
上記ＩＣカード読取手段で読み取った情報を選別するデータ選別手段を備え、上記データ変換手段は、上記データ選別手段で選別された情報を２次元コードとして印字可能なデータに変換する請求項１記載のＩＣカードリーダライタ装置。
【請求項３】
上記所定の情報、上記情報格納手段に格納された情報、上記可逆性感熱記録手段に印字された２次元コードが示す情報のうち少なくともいずれかを表示する表示手段を備えた請求項１または２記載のＩＣカードリーダライタ装置。
【請求項４】
上記表示手段が、上記所定の情報、上記情報格納手段に格納された情報、上記可逆性感熱記録手段に印字された２次元コードが示す情報のうち少なくとも２以上の情報を表示可能な場合に、いずれの情報を表示させるかを操作者が切り替えるための表示切替手段と、上記表示切替手段の操作に応じて上記表示手段を制御する表示制御手段とを備えた請求項３記載のＩＣカードリーダライタ装置。
【請求項５】
上記印字消去部の消去手段として、上記可逆性感熱記録手段に転動接触する金属製のローラと、上記ローラを軸支する軸受け付きの金属製ハウジングと、上記ハウジングを加熱するヒータとを備えたローラヘッドを用いた請求項１〜４のいずれか一項に記載のＩＣカードリーダライタ装置。
【請求項６】
２次元コードを印字および消去可能な可逆性感熱記録手段と、所定の情報を格納する情報格納手段とを有するＩＣカードであって、
上記ＩＣカードの情報格納手段に上記所定の情報を書き込むＩＣカード書込手段と、上記情報格納手段に格納された情報を読み取るＩＣカード読取手段とで構成されたＩＣカード読取書込部と、
上記可逆性感熱記録手段に２次元コードを印字する印字手段と、上記可逆性感熱記録手段に印字された２次元コードを消去する消去手段とで構成された印字消去部と、
上記ＩＣカード読取書込部および上記印字消去部を制御する制御手段とを備えたＩＣカードリーダライタ装置に用いられ、上記情報格納手段に格納された所定の情報のうちの少なくとも一部を、上記可逆性感熱記録手段にバックアップとして印字されることを特徴とするＩＣカード。
【発明の詳細な説明】
【技術分野】
【０００１】
本発明は、ＩＣカードに格納される情報をバックアップ可能なＩＣカードリーダライタ装置およびＩＣカードに関するものである。
【背景技術】
【０００２】
半導体メモリー等を内蔵するＩＣ（Integrated Circuit）カードの登場により、従来の磁気カード等に比べて記憶容量が飛躍的に増大するとともに、マイクロコンピュータ等の半導体集積回路装置を内蔵することによってＩＣカード自体が演算処理機能を有することで従来の磁気テープ等の情報媒体によるカードに比べ、大きなメモリ容量を有する点、偽造やデータの解読が困難であるというセキュリティの高さの点に特徴がある。
【０００３】
ＩＣカードは、ＩＳＯで国際的に規格化されており、一般的にＩＣカードはプラスチックなどを基材とするカード本体に半導体メモリ等のＩＣチップが内蔵されている。ＩＣカードの表面には、ＩＣカードと情報の送受信を行うＩＣカードリーダライタ装置との接続のために金属製の導電性端子が設けられている。ＩＣカードは、ＩＣカードリーダライタ装置との情報の送受信のために、ＩＣカードリーダライタ装置のＩＣカード挿入口に挿入して用いるものである。
【０００４】
現在国際的に使用されているＩＣカードは、ＩＣチップの取付け位置や、読み取り接点割りのフォーマット（区分方法）が各社各様であり、しかもＩＣカードリーダライタ装置に互換性がないため、相互に利用できず普及拡大の障害となっていた。そこで、上記欠点を除去し、取付け位置や、読み取り接点割りのフォーマットが異なるＩＣチップを取付けたＩＣカードを自動的に認識してデータの読み取りや書き込みが可能なＩＣカードおよびＩＣカードの読み取り装置として下記の特許文献１に示すものがある。
【０００５】
この発明の主要目的は、上記欠点を除去し、取付け位置や、読み取り接点割りのフォーマットが異なるＩＣチップを取付けたＩＣカードを自動的に認識してデータの読み取りや書き込みが可能なＩＣカードおよびＩＣカードの読み取り装置を提供することである。そのために、当該公報に開示された発明は、プラスチック板の表面に、発行したカード会社に対応したＩＣチップの読み取り接点位置や接点割りフォーマットなどの接点情報を記録した二次元コードを設けたことをその要旨としている。
【特許文献１】特開２０００−３５３２２９号公報
【発明の開示】
【発明が解決しようとする課題】
【０００６】
しかしながら、上記ＩＣカードのように、発行したカード会社に対応したＩＣチップの読み取り接点位置や接点割りフォーマットなどの接点情報を記録した二次元コードを設けても、ＩＣカードが、例えば外力を受け、内蔵されるＩＣチップが破損し、それに格納された情報が喪失した場合には、ＩＣカードは使用不可能になる。また、半導体メモリ等のＩＣチップに格納された情報は一旦喪失すれば復帰が困難である。また、ＩＣカードは大きなメモリ容量を有するため、ＩＣチップに格納された情報が喪失することによる損失も大きい。
【０００７】
本発明は、このような事情に鑑みなされたもので、ＩＣカードのＩＣチップ等のメモリに格納される情報をバックアップすることができるＩＣカードリーダライタ装置およびＩＣカードの提供をその目的とする。
【課題を解決するための手段】
【０００８】
上記の目的を達成するため、本発明のＩＣカードリーダライタ装置は、２次元コードを印字および消去可能な可逆性感熱記録手段と、所定の情報を格納する情報格納手段とを有するＩＣカードに情報の読み書きを行うＩＣカードリーダライタ装置であって、上記情報格納手段に上記所定の情報を書き込むＩＣカード書込手段と、上記情報格納手段に格納された情報を読み取るＩＣカード読取手段とで構成されたＩＣカード読取書込部と、上記可逆性感熱記録手段に２次元コードを印字する印字手段と、上記可逆性感熱記録手段に印字された２次元コードを消去する消去手段とで構成された印字消去部と、上記ＩＣカード読取書込部および上記印字消去部を制御する制御手段と、上記ＩＣカード読取書込部で読み取ったおよび／または書き込む情報を２次元コードとして印字可能なデータに変換するデータ変換手段とを備え、上記制御手段は、上記データ変換手段で変換されたデータに基づいて上記印字消去部を制御して、上記情報格納手段に格納された所定の情報のうちの少なくとも一部を、上記可逆性感熱記録手段にバックアップとして印字することを要旨とする。
【発明の効果】
【０００９】
すなわち、本発明のＩＣカードリーダライタ装置は、上記データ変換手段で変換されたデータに基づいて上記印字消去部を制御して、上記情報格納手段に格納された所定の情報のうちの少なくとも一部を、上記可逆性感熱記録手段にバックアップとして印字する。
【００１０】
このため、ＩＣカード読取書込部で情報格納手段から読み取ったおよび／または書き込む情報が２次元コードとして可逆性感熱記録手段に印字されるため、情報格納手段に格納される情報の量が多いＩＣカードにおいて、２次元コードとしてその情報をバックアップすることができる。したがって、情報格納手段として、例えば半導体メモリー等のＩＣチップを記憶媒体として用いられたＩＣカードにおいて、そのＩＣチップの破損等の原因により情報格納手段に格納された情報が喪失しても２次元コードからその情報を読み出すことで情報格納手段に格納された情報を復元することができる。
【００１１】
反対に、ＩＣカードが不用意に加熱環境下に置かれる等の事故により、２次元コードが消失した場合でも情報格納手段に格納された情報が残っていればそれを使用できる。このように、情報格納手段か２次元コードかいずれかの情報が残っていればそれを利用して情報を復元することができるため、従来のＩＣカードやリライトカードに比べて情報に対する安全保障は格段に優れている。
【００１２】
また、印字消去部は、上記可逆性感熱記録手段に２次元コードを印字する印字手段と、上記可逆性感熱記録手段に印字された２次元コードを消去する消去手段とで構成されているため、情報格納手段への書き込みが繰り返されたとしても、その書き込みに応じて２次元コードを書き換えることができる。すなわち、情報格納手段に所定の情報が書き込まれる際に、既に可逆性感熱記録手段に２次元コードが印字されている場合、その２次元コードを消去し、情報格納手段に書き込まれる情報に応じた情報を印字することができる。すなわち、情報格納手段への情報の書込みに応じて２次元コードを書き換えることができる。
【００１３】
本発明のＩＣカードリーダライタ装置において、上記ＩＣカード読取手段で読み取った情報を選別するデータ選別手段を備え、上記データ変換手段は、上記データ選別手段で選別された情報を２次元コードとして印字可能なデータに変換する場合には、情報格納手段に書き込まれた情報のうち特定の情報（例えば、必要な情報）だけを抽出して２次元コードとして印字することができる。したがって、例えば、情報格納手段に書き込まれた情報の量が多く、その全てを２次元コードに含めることができない場合でも必要な情報をバックアップすることができる。
【００１４】
本発明のＩＣカードリーダライタ装置において、上記所定の情報、上記情報格納手段に格納された情報、上記可逆性感熱記録手段に印字された２次元コードが示す情報のうち少なくともいずれかを表示する表示手段を備えた場合には、ＩＣカードリーダライタ装置の使用者は、これらの情報を確認することができる。したがって、情報格納手段に間違った情報が格納されることを防止することができる。また、情報格納手段に格納された情報と可逆性感熱記録手段に印字された２次元コードが示す情報とが一致しているか、すなわち情報格納手段に格納された情報がバックアップされているか否かを確認することができる。
【００１５】
本発明のＩＣカードリーダライタ装置において、上記表示手段が、上記所定の情報、上記情報格納手段に格納された情報、上記可逆性感熱記録手段に印字された２次元コードが示す情報のうち少なくとも２以上の情報を表示可能な場合に、いずれの情報を表示させるかを操作者が切り替えるための表示切替手段と、上記表示切替手段の操作に応じて上記表示手段を制御する表示制御手段とを備えた場合には、ＩＣカードリーダライタ装置の使用者は、確認したい情報を必要に応じて表示させることができる。
【００１６】
本発明のＩＣカードリーダライタ装置において、上記印字消去部の消去手段として、上記可逆性感熱記録手段に転動接触する金属製のローラと、上記ローラを軸支する軸受け付きの金属製ハウジングと、上記ハウジングを加熱するヒータとを備えたローラヘッドを用いた場合には、消去手段から可逆性感熱記録手段への熱伝達はローラを介して行われ、可逆性感熱記録手段の記録面と消去手段との接触は転動接触であることから、記録面とローラヘッド（例えば、後述のロールヘッド３５）とはほとんど擦れ合わない状態で熱伝達が行われる。したがって、消去と印字を繰り返したとしても、記録面の摩滅はほとんど生じず、可逆性感熱記録手段の寿命が大幅に延長される。したがって、ローラヘッドと可逆性感熱記録手段との接触圧力を大幅に高くすることができ、印字面全体における均一な加熱を実現し、印字むらや消去むらを防止することができる。その結果、厚みのある樹脂カードや印字面の面積が大きなものを可逆性感熱記録手段として採用することが可能となり、それらを用いた記録媒体でも印字や消去特性の安定化や均一化を図ることができる。したがって、記録面の面積が大きなカードや厚みのあるカードにリライト方式を適用することができる。
【００１７】
特に、ＩＣカードは、内部にＩＣチップ等の情報記憶媒体や、情報を読み書きするためのアンテナ配線等が内蔵されているため、摺接するヘッドによる消去動作では印字領域全体にわたって均一に熱が伝達されにくく、消去むらの発生がしばしばみられた。そこで、上記のように転動接触するローラヘッドによって消去動作を行うことにより消去むらが解消し、高い再印字品質を確保できる。このため、２次元コードにより高い印字密度で大容量の情報をバックアップする場合に、正確なバックアップが可能となる。
【００１８】
また、ローラを直接加熱するのではなく、ヒータでハウジングを加熱し、ハウジングに伝達された熱を軸受け等を介してローラに伝達するため、ローラを加熱するために要する構造が極めて簡素で製造コスト面で有利であるうえ、ヒータを可動部に設けなくてよいことから、故障が発生するおそれも少なく、万一故障しても修復作業が簡単で、メンテナンス性にも優れたものとなる。また、一旦ハウジングに蓄えた熱をローラに伝達して記録媒体を加熱するため、たとえば、季節や使用環境等の要因でローラが冷却されやすい状況で使用されたり、可逆性感熱記録手段の連続的な挿入によりローラが冷却されたとしても、ハウジングが蓄熱されていることからハウジングの熱で冷却されたローラの熱が補われローラ自体の消去・印字特性はほとんど損なわれない。
【００１９】
本発明のＩＣカードリーダライタ装置において、上記ハウジングは、ローラの可逆性感熱記録媒体との転動接触部とその近傍以外の部分を覆うものであり、上記軸受けはメタル軸受けである場合には、上記ハウジングがローラの可逆性感熱記録媒体との転動接触部とその近傍以外の部分を覆っていることから、たとえば、季節や使用環境等の要因でローラが冷却されやすい状況で使用されたとしても、蓄熱されたハウジングがローラを覆っていることから、周辺環境がローラの冷却にはほとんど影響しなくなる程度までローラの冷却を効果的に防止できる。また、可逆性感熱記録手段の連続的な挿入によりローラが冷却されたとしても、ハウジングの熱がローラの周囲からローラに効率的に伝達されて冷却されたローラの熱が効果的に補われる。したがって、ローラ自体の消去・印字特性がほとんど損なわれることなく、どのような環境においても安定的な消去・印字動作を行うことができる。
【００２０】
また、上記軸受けがメタル軸受けであることから、軸受け部における熱損失が極めて少なく、ハウジングに蓄えられた熱がメタル軸受けを介してローラに効果的に伝達される。したがって、上述したような冷却されたローラへの熱の補填が効果的かつ十分に行われ、安定的な消去・印字動作を実現できる。
【００２１】
本発明のＩＣカードリーダライタ装置において、上記メタル軸受けは、固体潤滑剤が軸受け面に露呈するよう埋設された無給油軸受けである場合には、油のような液体の潤滑剤を使用しなくてよいことから、メタル軸受けとローラとの接触界面に油膜等が介在せず、ローラと軸受けとの間の熱的な接触を確保できる。このため、上記接触界面における熱伝達の損失がほとんど生じることがなく、上述したような冷却されたローラへの熱の補填が効果的かつ十分に行われ、安定的な消去・印字動作を実現できる。
【００２２】
本発明のＩＣカードリーダライタ装置において、上記ローラヘッドが、アルミニウム製であり表面に陽極酸化被膜が形成されている場合には、ローラをアルミニウム製とすることにより、迅速な熱伝導を確保でき、ハウジングの熱をローラを介して有効に可逆性感熱記録媒体に伝達することができる。また、ローラの表面に陽極酸化被膜が形成されていることから、ローラの表面硬度が上昇し、記録媒体の繰り返し挿入による消去と印字を繰り返しても、ローラの摩滅を防止できる。また、陽極酸化被膜の表面に生じるある程度のポーラス層の存在により、たとえば、上記ポーラス層にワックス分等を含有させることにより潤滑性を高め、記録媒体の記録面を確実に保護し、記録媒体の大幅な寿命延長を図ることができる。
【００２３】
本発明のＩＣカードリーダライタ装置において、上記可逆性感熱記録媒体が、発色型のリライトカードである場合には、安定的な消去と印字を繰り返し、鮮やかな印字性能と確実な消去性能を長く維持することができる。また、大面積のリライトカードを確実に消去・印字できることから、リライトカードの記録量を大幅に増やすことが可能となる。また、厚みのある樹脂カードに対してリライト機能を付与することも容易に行えるうえ、記録面の寿命が大幅に向上することから、ＩＣカードのような記憶素子が内蔵された厚みが必要で比較的高価なカードにリライト機能を付与することができる。
【００２４】
本発明のＩＣカードリーダライタ装置において、上記ハウジングの軸方向の両端部が保熱プレートで覆われている場合には、ハウジングやローラの両端部が保熱プレートで覆われることから、ハウジング，ローラ，軸受けの冷却を効果的に防止し、熱効率を向上させるとともに、ローラの冷却を防止してローラへの熱の補填効率も損なわず、安定的な消去・印字動作を確保できる。
【００２５】
本発明のＩＣカードリーダライタ装置において、上記ローラの表面に、可逆性感熱記録媒体と転動接触する接触面を有する接触段部が形成され、上記接触面とハウジング内面との隙間ができるだけ小さくなるよう設定されている場合には、可逆性感熱記録媒体の連続的な挿入によりローラが冷却されたとしても、ハウジングの熱がローラの周囲から上記隙間を介してローラに効率的に伝達されて冷却されたローラの熱が効果的に補われる。したがって、ローラ自体の消去・印字特性がほとんど損なわれることなく、どのような環境においても安定的な消去・印字動作を行うことができる。
【００２６】
本発明のＩＣカードリーダライタ装置において、可逆性感熱記録媒体の挿入受け待ちの状態において、ローラに回転駆動が付与されるようになっている場合には、記録媒体の挿入受け待ちの際に、ローラが常に回転することにより、ローラ表面の円周方向での温度ばらつきがほとんどなくなり、挿入された記録媒体の記録面の加熱状態をより均一化し、消去むらを防止して安定的な消去・印字動作を確保できる。
【００２７】
本発明のＩＣカードは、２次元コードを印字および消去可能な可逆性感熱記録手段と、所定の情報を格納する情報格納手段とを有するＩＣカードであって、上記ＩＣカードの情報格納手段に上記所定の情報を書き込むＩＣカード書込手段と、上記情報格納手段に格納された情報を読み取るＩＣカード読取手段とで構成されたＩＣカード読取書込部と、上記可逆性感熱記録手段に２次元コードを印字する印字手段と、上記可逆性感熱記録手段に印字された２次元コードを消去する消去手段とで構成された印字消去部と、上記ＩＣカード読取書込部および上記印字消去部を制御する制御手段とを備えたＩＣカードリーダライタ装置に用いられ、上記情報格納手段に格納された所定の情報のうちの少なくとも一部を、上記可逆性感熱記録手段にバックアップとして印字されることを要旨とする。
【００２８】
すなわち、本発明のＩＣカードは、上記情報格納手段に格納された所定の情報のうちの少なくとも一部を、上記可逆性感熱記録手段にバックアップとして印字される。このため、上記ＩＣカード読取書込部で情報格納手段から読み取ったおよび／または書き込む情報が２次元コードとして可逆性感熱記録手段に印字されるため、格納される情報の量が多いＩＣカードにおいて、２次元コードとしてその情報をバックアップすることができる。したがって、情報格納手段として、例えば半導体メモリー等のＩＣチップを記憶媒体として用いられたＩＣカードにおいて、そのＩＣチップの破損等の原因により情報格納手段に格納された情報が喪失しても２次元コードからその情報を読み出すことで情報格納手段に格納された情報を復元することができる。
【００２９】
また、印字消去部は、上記可逆性感熱記録手段に２次元コードを印字する印字手段と、上記可逆性感熱記録手段に印字された２次元コードを消去する消去手段とで構成されているため、情報格納手段への書き込みが繰り返されたとしても、その書き込みに応じて可逆性感熱記録媒体１３に２次元コードを書き換えることができる。すなわち、情報格納手段に所定の情報が書き込まれる際に、既に可逆性感熱記録手段に２次元コードが印字されている場合、その２次元コードを消去し、情報格納手段に書き込まれる情報に応じた情報を印字することができる。
【発明を実施するための最良の形態】
【００３０】
つぎに、本発明を実施するための最良の形態を説明する。
【実施例１】
【００３１】
図１は、本発明のＩＣカードリーダライタ装置の外観を示す斜視図である。本発明のＩＣカードリーダライタ装置１は、後述の可逆性感熱記録媒体１３（図２）を有するＩＣカード２を用いる。図示において、ＩＣカード２の可逆性感熱記録媒体１３には、２次元コード６１およびＩＣカード情報（後述のＩＣチップ１５に格納される情報又は少なくともその一部）６３の一例が印字されている。ＩＣカードリーダライタ装置１は、ＩＣカード２のＩＣチップ１５に格納される情報の読み取りおよびＩＣチップ１５への所定の情報の書込みと、２次元コード６１およびＩＣカード情報６３の印字と、２次元コード６１の読み取りと、データ等の情報の表示等を行うようになっている。ＩＣカード２は、後述のＩＣカードデータ送受信部６５と物理的または電気的接点を持たずに情報を読み書きできる非接触式（電磁誘導方式）のＩＣカード２である。
【００３２】
上記２次元コード６１は、従来のバーコードが一直線上の配列であるのに対して、これを２次元的に表現したものである。２次元コードとしては、ＣＰコード、データコード、ベリコード、ＱＲコード、ＰＤＦ４１７、Ｄａｔａ Ｍａｔｒｉｘ、マキシコード等が既に提案されている。これらの２次元コードは従来のバーコードと比較すると、情報量が数１０倍から数１００倍多く、英数字の他にひらがな、カタカナ、漢字、いわゆるバイナリーデータも表現でき、データの復元機能を備えている等の特徴を有している。
【００３３】
可逆性感熱記録媒体１３は印字および消去が加熱によって可逆的に可能な媒体であり、しかも、加熱記録は現像が不要であり、コントラストの高い画像の印字形成及び消去ができ、安定な画像を保持でき、消去温度幅が広い等の特徴を有している。
【００３４】
ここで、従来利用されている可逆性感熱記録媒体としては、透明・白濁型（有機高分子／低分子マトリクス型）の可逆性感熱記録媒体と、発色型（ロイコ型）の可逆性感熱記録媒体とに大別される。
【００３５】
ここで、透明・白濁型（有機高分子／低分子マトリクス型）の可逆性感熱記録媒体と発色型（ロイコ型）の可逆性感熱記録媒体とを比較すると、透明・白濁型（有機高分子／低分子マトリクス型）の可逆性感熱記録媒体は、情報を記録した場合、その情報が透明・白濁に視認されるため、青や赤等の様々な色を発色可能な発色型（ロイコ型）の可逆性感熱記録媒体に比べて、やや視認性が悪く、さらに、発色の多様性の面で劣る。従って、本発明の実施の形態においては、発色型（ロイコ型）の可逆性感熱記録媒体１３が用いられている。可逆性感熱記録手段としての可逆性感熱記録媒体１３には、２次元コード６１を印字および消去可能である。
【００３６】
ＩＣカードリーダライタ装置１の全体を形成している筐体３の正面の下部（略垂直面）には、ＩＣカード２を挿入および排出可能なＩＣカード挿入口４が形成されている。ＩＣカード挿入口４の左上方には、ＩＣカード２がＩＣカードリーダライタ装置１内の所定の位置まで案内されている場合、すなわち、ＩＣカード挿入口４に挿入されている場合において、所定の情報（外部情報）が入力されている場合にＩＣカード２へその外部情報を書き込むために操作する書込開始ボタン５が設けられている。その右側には、ＩＣカード２がＩＣカードリーダライタ装置１内の所定の位置まで案内されている場合に、そのＩＣカード２を排出するためのＩＣカード排出ボタン７が設けられている。
【００３７】
上記略垂直面の上部の傾斜面には、表示手段として液晶表示装置９が設けられている。この液晶表示装置９の表示画面９ａには、所定の情報（外部から入力された情報）、ＩＣチップ１５に格納された情報、可逆性感熱記録媒体１３に印字された２次元コード６１が示す情報のうち少なくともいずれかを表示する。このため、ＩＣカードリーダライタ装置１の使用者（操作者）は、これらの情報を確認することができる。したがって、ＩＣチップ１５に間違った情報が格納されることを防止することができる。また、ＩＣチップ１５に格納された情報と可逆性感熱記録媒体１３に印字された２次元コード６１が示す情報とが一致しているか、すなわちＩＣチップ１５に格納された情報がバックアップされているか否かを確認することができる。図において、液晶表示装置９の表示画面９ａにＩＣチップ１５に格納された情報が表示された例を示す。液晶表示装置９の左下方には後述のＩＣカード表示切替ボタン１１ａが設けられ、その右側には２次元コード表示切替ボタン１１ｂが設けられている。
【００３８】
すなわち、ＩＣカード表示切替ボタン１１ａ及び２次元コード表示切替ボタン１１ｂは、液晶表示装置９が、所定の情報、ＩＣチップ１５に格納された情報、可逆性感熱記録媒体１３に印字された２次元コード６１が示す情報のうち少なくとも２以上の情報を表示可能な場合に、いずれの情報を表示させるかを操作者が切り替えるための表示切替手段である。表示制御手段である後述のＣＰＵ７３は、表示切替手段の操作に応じて液晶表示装置９を制御する。このため、ＩＣカードリーダライタ装置の使用者は、確認したい情報を必要に応じて切り替えることができる。
【００３９】
詳細には、ＩＣカードリーダライタ装置１に所定の情報（外部情報）が入力されると、その所定の情報が表示される。ここで、ＩＣカードリーダライタ装置１にＩＣカード２が挿入された状態でＩＣカード表示切替ボタン１１ａを操作すると、ＩＣチップ１５に格納された情報が表示される。すなわち、ＩＣカード表示切替ボタン１１ａを操作することにより液晶表示装置９の表示画面９ａに所定の情報を表示するか、ＩＣチップ１５に格納された情報を表示するかを切り替えることができる。また、２次元コード表示切替ボタン１１ｂを操作することにより液晶表示装置９の表示画面９ａに所定の情報を表示するか、可逆性感熱記録媒体１３に印字された２次元コード６１が示す情報を表示するかを切り替えることができる。
【００４０】
表示手段として、上記のような液晶表示装置９のほか、多数のＬＥＤを配列して構成した表示器やＣＲＴ、プラズマディスプレイ、エレクトロルミネッセンス（有機ＥＬ）等のその他の電気的表示器を用いても構成できる。
【００４１】
つぎに、図２および図３を参照して、ＩＣカードリーダライタ装置１に用いられるＩＣカード２について説明する。本発明のＩＣカード２は、ＩＣチップ１５に格納された所定の情報のうちの少なくとも一部を、可逆性感熱記録媒体１３にバックアップとして印字される。このため、ＩＣチップ１５の破損等の原因によりＩＣチップ１５に格納された情報が喪失しても２次元コード６１からその情報を読み出すことでＩＣチップ１５に格納された情報を復元することができる。
【００４２】
図示のように、ＩＣカード２は、可逆性感熱記録媒体１３と、半導体素子としてのＩＣチップ１５、このＩＣチップ１５に接続され、渦巻き状に形成されたアンテナ１７を収納するＩＣカード基材１９とで構成される。ＩＣカード２は、セキュリティや信頼性確保のために、成形封止をしたり、熱プレスによるカード化を行って、常に分解しがたい形状になっている。なお、ＩＣチップ１５としては非接触用と接触用とが一つにまとまったタイプでも、あるいは、非接触用と接触用とが１枚のＩＣカード２中に別個であるタイプの両方が考えられるが、本発明を適用するうえではそのいずれでもよい。
【００４３】
アンテナ１７は、巻線コイルで形成され、データ通信と外部からの電力供給という２つの機能を持っている。情報格納手段であるＩＣチップ１５は、データ制御やメモリ機能を有し、アンテナ１７を介して外部（後述のＩＣカード読取書込部４１）とのデータ通信や電力の受給を行う。このアンテナ１７により、ＩＣチップ１５は、ＩＣカードリーダライタ装置１のＩＣカード読取書込部４１と非接触で情報の送受信を行うことができる。実施の形態では、アンテナ１７は、巻線コイルを採用しているが、基板上にエッチングにより形成したコイル、又は基板上に印刷配線により形成されたコイル等を採用してもよい。また、アンテナ１７のコイルの巻数は、通信周波数や通信距離などにより異なっている。また、実施の形態では、アンテナ１７は送信受信兼用のものであるが、送信アンテナと受信アンテナとが互いに別々であるアンテナを用いてもよい。
【００４４】
図３は、可逆性感熱記録媒体１３の一例を示す断面構造図である。この可逆性感熱記録媒体１３は、図示のように、可逆性感熱記録媒体の製造・管理を容易にするための感熱記録基材２１と、可逆性感熱記録媒体１３を感熱記録基材２１から剥離するための剥離層２３と、後述する可逆性感熱記録層２７の表面（記録面）を保護するための保護層２５と、ロイコ染料を主成分として含有し加熱により情報を可逆的に記録消去することができる可逆性感熱記録層２７と、バリアー層２９と、可逆性感熱記録媒体にスリットを形成して切断した際にロイコ染料の付着により生ずる接着層３３上の不可逆な発色を隠蔽するための隠蔽層３１と、熱プレス等によりカード基材等に接着を行うための接着層３３とから構成される。
【００４５】
可逆性感熱記録媒体１３を発色型としたため、安定的な消去と印字を繰り返し、鮮やかな印字性能と確実な消去性能を長く維持することができる。また、大面積の可逆性感熱記録媒体１３を確実に消去・印字できることから、可逆性感熱記録媒体１３の記録量を大幅に増やすことが可能となる。
【００４６】
つぎに、図４を参照して、ＩＣカードリーダライタ装置１について説明する。図４は、ＩＣカードリーダライタ装置１の概略図を示す。なお、図において配線および回路等を省略して示している。図示のように、このＩＣカードリーダライタ装置１は、上記液晶表示装置９と、ＩＣカード２を構成する可逆性感熱記録媒体１３に印字された情報（２次元コード６１およびＩＣカード情報６３）を消去するためのロールヘッド３５と上記可逆性感熱記録媒体１３に２次元コード６１等（ＩＣカード情報６３を含む）を印字（記録）するためのサーマルヘッド３７を含む印字消去部３８と、上記可逆性感熱記録媒体１３を搬送するための７つのプラテンロール３９と、ＩＣカード２への電力供給とデータの送受信を行うＩＣカード読取書込部４１と、上記可逆性感熱記録媒体１３に印字された２次元コード６１を読み取る２次元コード読取部４３とから構成されている。
【００４７】
ＩＣカード読取書込部４１は、電力を電磁波の形でＩＣカード２のＩＣチップ１５等に供給する。ＩＣカード読取書込部４１は、図示しないアンテナ（以下、「送受信部アンテナ」という）を有し、その送受信部アンテナから電波を送出する。ＩＣカード２は、ＩＣカード読取書込部４１からアンテナ１７を介して受信した電波のエネルギーを整流し、それを電源として、ＩＣチップ１５に内蔵されたメモリ（例えば、ＥＥＰＲＯＭ等の不揮発性メモリ）への書込みや、そのメモリから読み出したデータの送信を実行する。
【００４８】
２次元コード読取部４３は、図示しない光源およびＣＣＤイメージセンサ等からなる。２次元コード読取部４３は、光源を発光させることにより、２次元コード６１の反射光を検出してデジタル処理し、これをデータ化して制御回路７１へ送信するようになっている。ここで、このデータ化された２次元コードを、以下「２次元コードデータ」という。この２次元コードデータは、ＩＣカード２のＩＣチップ１５に格納された情報を含んでいる。すなわち、２次元コード６１はＩＣチップ１５に格納された情報をバックアップするために印字される。
【００４９】
サーマルヘッド３７は、後述の制御回路７１から送信された信号により、その信号に対応した発熱が可能な加熱ヘッドである。プラテンロール３９により搬送されたＩＣカード２の可逆性感熱記録媒体１３は、このサーマルヘッド３７により加熱され、その後の急冷により表面に２次元コード６１の印字（画像形成）およびＩＣカード情報６３の印字等がなされる。
【００５０】
ＩＣカード２がＩＣカード挿入口４へ差し込まれると、ＩＣカードリーダライタ装置１は、ＩＣカード挿入口４に差し込まれたＩＣカード２を吸入し、ＩＣカードリーダライタ装置１内の所定の位置まで案内する。この後、ＩＣカードリーダライタ装置１は、ＩＣカード２のＩＣチップ１５に格納された情報および印字された２次元コードを読み込むようになっている。そして、外部情報が入力されている場合に、使用者が書込開始ボタン５を操作すると、ＩＣカードリーダライタ装置１はＩＣカード２へその外部情報の書き込みを開始する。使用者がＩＣカード排出ボタン７を操作すると、ＩＣカードリーダライタ装置１は、ＩＣカードリーダライタ装置１内のＩＣカード２を排出するようになっている。
【００５１】
つぎに、図５および図６を参照して、ロールヘッド３５について説明する。図５に示すように、上記ロールヘッド（ローラヘッド）３５は、記録面に転動接触する金属製のローラ４５と、上記ローラ４５を軸支する軸受ユニット４７とハウジング本体４９とから構成されたハウジング５１と、上記ハウジング５１を加熱するヒータ５３とを備えている。ロールヘッド３５には、ヒータ５３の温度制御を行う制御部５５と、温度ヒューズ５７と、装置本体（図示せず）とを電気的に接続する接続ケーブル５９が接続されている。
【００５２】
このため、ロールヘッド３５から 可逆性感熱記録媒体１３への熱伝達はローラ４５を介して行われ、 可逆性感熱記録媒体１３の記録面とロールヘッド３５との接触は転動接触であることから、記録面とロールヘッド３５とはほとんど擦れ合わない状態で熱伝達が行われる。したがって、消去と印字を繰り返したとしても、記録面の摩滅はほとんど生じず、可逆性感熱記録媒体１３の寿命が大幅に延長される。したがって、ロールヘッド３５と 可逆性感熱記録媒体１３との接触圧力を大幅に高くすることができ、印字面全体における均一な加熱を実現し、印字むらや消去むらを防止することができる。その結果、厚みのある樹脂カードや印字面の面積が大きなものを可逆性感熱記録媒体１３として採用することが可能となり、それらを用いた記録媒体でも印字や消去特性の安定化や均一化を図ることができる。したがって、記録面の面積が大きなカードや厚みのあるカードにリライト方式を適用することができる。
【００５３】
特に、ＩＣカード２は、内部にＩＣチップ１５等の情報記憶媒体や、情報を読み書きするためのアンテナ１７等が内蔵されているため、摺接するヘッドによる消去動作では印字領域全体にわたって均一に熱が伝達されにくく、消去むらの発生がしばしばみられた。そこで、上記のように転動接触するロールヘッド３５によって消去動作を行うことにより消去むらが解消し、高い再印字品質を確保できる。このため、２次元コード６１により高い印字密度で大容量の情報をバックアップする場合に、正確なバックアップが可能となる。
【００５４】
また、ローラ４５を直接加熱するのではなく、ヒータ５３でハウジング５１を加熱し、ハウジング５１に伝達された熱を軸受け等を介してローラ４５に伝達するため、ローラ４５を加熱するために要する構造が極めて簡素で製造コスト面で有利であるうえ、ヒータ５３を可動部に設けなくてよいことから、故障が発生するおそれも少なく、万一故障しても修復作業が簡単で、メンテナンス性にも優れたものとなる。また、一旦ハウジング５１に蓄えた熱をローラ４５に伝達して記録媒体を加熱するため、たとえば、季節や使用環境等の要因でローラ４５が冷却されやすい状況で使用されたり、可逆性感熱記録媒体１３の連続的な挿入によりローラ４５が冷却されたとしても、ハウジング５１が蓄熱されていることからハウジング５１の熱で冷却されたローラ４５の熱が補われローラ４５自体の消去・印字特性はほとんど損なわれない。
【００５５】
上記軸受ユニット４７は、上記ハウジング本体４９の両端部に取り付けられるもので、ローラ４５の両端部を軸支する軸穴が開口したブロック状に形成された図示しないブロック部と、上記軸穴に内嵌されたメタル軸受６０とから構成されている。
【００５６】
上記メタル軸受６０としては、二硫化モリブデンや二硫化タングステン、あるいはグラファイト等の固体潤滑剤が軸受け面に露呈するよう軸受け面の全体に分布埋設された無給油軸受けが用いられる。例えば、黄銅合金系のオイレス工業社製のＳＢＰタイプを用いることができる。
【００５７】
図６に示すように、上記ロールヘッド３５は、プラテンロール３９とローラ４５を接触させるように配置され、プラテンロール３９の回転駆動に伴って、プラテンロール３９とローラ４５の間にＩＣカード２を挟み込んで移動させ、ローラ４５の熱を、ＩＣカード２を構成する可逆性感熱記録媒体１３のローラ４５と接触する面である記録面に伝達させて記録面の発色を消去するようになっている。
【００５８】
上記ローラ４５は、熱伝導性に優れた金属材料であるアルミニウム製とされ、その表面には陽極酸化被膜によるアルミナ層が形成される。このように、ローラ４５をアルミニウム製とすることにより、迅速な熱伝導を確保でき、ハウジング本体４９の熱をローラ４５を介して有効に可逆性感熱記録媒体１３に伝達することができる。また、ローラ４５の表面に陽極酸化被膜を形成したことから、ローラ４５の表面硬度が上昇し、可逆性感熱記録媒体１３の繰り返し挿入による消去と印字を繰り返しても、ローラ４５の摩滅を防止できる。上記ハウジング５１は、ローラ４５の可逆性感熱記録媒体１３との転動接触部とその近傍以外の部分を覆うものである。
【００５９】
このように、上記ハウジング本体４９がローラ４５の可逆性感熱記録媒体１３との転動接触部とその近傍以外の部分を覆っていることから、たとえば、季節や使用環境等の要因でローラ４５が冷却されやすい状況で使用されたとしても、蓄熱されたハウジング本体４９がローラ４５を覆っていることから、周辺環境がローラ４５の冷却にはほとんど影響しなくなる程度までローラ４５の冷却を効果的に防止できる。
【００６０】
また、ＩＣカード２の連続的な挿入によりローラ４５が冷却されたとしても、ハウジング本体４９の熱がローラ４５の周囲からローラ４５に効率的に伝達されて冷却されたローラ４５の熱が効果的に補われる。したがって、ローラ４５自体の消去特性がほとんど損なわれることなく、どのような環境においても安定的な消去動作を行うことができる。ハウジング本体４９は、熱導電性に優れた金属から形成することが好ましく、この例では、アルミニウムが適用されている。このようにすることにより、ヒータ５３の熱を効果的にローラ４５に伝達することができるのである。
【００６１】
また、上記軸受けがメタル軸受６０であることから、軸受け部における熱損失が極めて少なく、ハウジング５１に蓄えられた熱がメタル軸受６０を介してローラ４５に効果的に伝達される。したがって、上述したような冷却されたローラへの熱の補填が効果的かつ十分に行われ、安定的な消去・印字動作を実現できる。
【００６２】
図７は、ＩＣカードリーダライタ装置１の果たす機能を示した機能ブロック図である。ＩＣカードリーダライタ装置１の動作を制御する制御回路７１は、予め設定されたプログラムに従って制御動作を行うＣＰＵ７３と、不揮発性の読み出し専用メモリであって、プログラム等を格納するＲＯＭ７５と、揮発性メモリであって、ＣＰＵ７３が処理を行う作業領域として使用されるＲＡＭ７７とを備える。ＲＡＭ７７は、外部情報やＩＣカード２から読み取ったデータ等の情報（データ化された２次元コード６１を含む）を一時的に記憶する。ＲＯＭ７５には、後述のＩＣカード読取書込部４１に書込みを開始させるための制御指令である「ＩＣカード書込開始信号」、後述の印字消去部３８に２次元コード６１およびＩＣカード情報６３等を印字させるための制御指令である「印字開始信号」、後述のＩＣカード読取書込部４１にＩＣカード２のＩＣチップ１５に格納された情報を読み取らせるための制御指令である「ＩＣカード読取開始信号」が格納されている。
【００６３】
ＣＰＵ７３は、入力された外部情報を処理する情報処理手段１０１と、ＩＣカード２から後述のＩＣカード読取手段１０９で読み取った情報を選別するデータ選別手段１０３と、ＩＣカード読取書込部４１で読み取ったおよび／または書き込む情報を２次元コード６１として印字可能なデータ（以下、「２次元コード印字データ」という）に変換するデータ変換手段１０５と、液晶表示装置９の表示を制御する表示制御手段１０７としての機能を果たす。データ選別手段１０３によってＩＣカード２から上記ＩＣカード読取手段で読み取った情報を選別されるため、ＩＣチップ１５に書き込まれた情報のうち特定の情報（例えば、必要な情報）だけを２次元コード６１として印字することができる。したがって、例えば、ＩＣチップ１５に書き込まれた情報の量が多く、その全てを２次元コード６１に含めることができない場合でも必要な情報をバックアップすることができる。データ変換手段１０５は、ＩＣカード読取書込部４１で読み取ったおよび／または書き込む情報を２次元コード印字データに変換するため、その情報を２次元コード６１として印字することができる。
【００６４】
ＩＣカード読取書込部４１は、ＩＣカード２のＩＣチップ１５に格納された情報（データ）を読み取るＩＣカード読取手段１０９と、ＩＣチップ１５に外部情報を書き込むＩＣカード書込手段１１１としての機能を果たす。２次元コード読取部４３は、ＩＣカード２に印字された２次元コード６１を読み取って２次元コード６１として制御回路７１に送信する２次元コード読取手段としての機能を果たす。２次元コード読取部４３を設けることにより、既に印字されている２次元コード６１が示す情報を確認することができる。
【００６５】
印字消去部３８は、データ変換手段１０５で変換された２次元コード印字データに基づいてＩＣカード２の可逆性感熱記録媒体（印字領域）１３に２次元コード６１を印字する印字手段１１５と、ＩＣカード２の可逆性感熱記録媒体１３に印字された２次元コード６１を消去する消去手段１１７としての機能を果たす。液晶表示装置９は、外部情報、ＩＣカード（具体的には、ＩＣチップ１５）から読み取ったデータの内容、可逆性感熱記録媒体１３から読み取った２次元コードデータの内容（２次元コード６１に関する情報）等を表示する表示手段１１９としての機能を果たす。
【００６６】
すなわち、本発明のＩＣカードリーダライタ装置１は、２次元コード６１を印字および消去可能な可逆性感熱記録媒体１３と、所定の情報（外部から入力された情報）を格納するＩＣチップ１５とを有するＩＣカード２に情報の読み書きを行うＩＣカードリーダライタ装置１であって、ＩＣチップ１５に所定の情報を書き込むＩＣカード書込手段１１１と、ＩＣチップ１５に格納された情報を読み取るＩＣカード読取手段１０９とで構成されたＩＣカード読取書込部４１と、可逆性感熱記録媒体１３に２次元コード６１を印字する印字手段１１５と、可逆性感熱記録媒体１３に印字された２次元コード６１を消去する消去手段１１７とで構成された印字消去部３８と、ＩＣカード読取書込部４１および印字消去部３８を制御する制御回路７１と、ＩＣカード読取書込部４１で読み取ったおよび／または書き込む情報を２次元コード６１として印字可能なデータに変換するデータ変換手段１０５とを備え、制御回路７１は、データ変換手段１０５で変換されたデータに基づいて印字消去部３８を制御して、ＩＣチップ１５に格納された所定の情報のうちの少なくとも一部を、可逆性感熱記録媒体１３にバックアップとして印字する。
【００６７】
このため、ＩＣカード読取書込部４１でＩＣチップ１５から読み取ったおよび／または書き込む情報が２次元コード６１として可逆性感熱記録媒体１３に印字されるため、格納される情報の量が多いＩＣカードにおいて、２次元コード６１としてその情報をバックアップすることができる。したがって、ＩＣチップ１５の破損等の原因によりＩＣチップ１５に格納された情報が喪失しても２次元コード６１からその情報を読み出すことでＩＣチップ１５に格納された情報を復元することができる。
【００６８】
反対に、ＩＣカード２が不用意に加熱環境下に置かれる等の事故により、２次元コード６１が消失した場合でもＩＣチップ１５に格納された情報が残っていればそれを使用できる。このように、ＩＣチップ１５か２次元コード６１かいずれかの情報が残っていればそれを利用して情報を復元することができるため、従来のＩＣカードやリライトカードに比べて情報に対する安全保障は格段に優れている。
【００６９】
また、印字消去部３８は、可逆性感熱記録媒体１３に２次元コード６１を印字する印字手段１１５と、可逆性感熱記録媒体１３に印字された２次元コード６１を消去する消去手段１１７とで構成されているため、ＩＣチップ１５への書き込みが繰り返されたとしても、その書き込みに応じて２次元コード６１を書き換えることができる。すなわち、ＩＣチップ１５に所定の情報が書き込まれる際に、既に可逆性感熱記録媒体１３に２次元コード６１が印字されている場合、その２次元コード６１を消去し、情報格納手段に書き込まれる情報に応じた情報を印字することができる。すなわち、ＩＣチップ１５への情報の書込みに応じて２次元コード６１を書き換えることができる。
【００７０】
つぎに、図８〜図１２に示すフローチャートを参照して制御回路７１のＣＰＵ７３の制御動作について説明する。なお、図において「Ｓ」は、ステップを意味する。
【００７１】
まず、ＩＣカード２が挿入されたか否かを判別する（Ｓ１）。この判別が“ＹＥＳ”の場合、すなわち、ＩＣカード２が挿入された場合はＳ２に移り、“ＮＯ”の場合、すなわち、ＩＣカード２が挿入されていない場合はこのまま待機する。ついで、ＩＣカード２が挿入されると、後に図１０を参照して説明するＩＣカード読取処理を行う（Ｓ２）。この後、外部情報が入力されたか否かを判別する（Ｓ３）。この判別が“ＹＥＳ”の場合、すなわち、外部情報が入力された場合はＳ４に移り、“ＮＯ”の場合、すなわち、外部情報が入力されていない場合はＳ１５に移る。
【００７２】
ついで、外部情報が入力されると、その外部情報をデータとしてＲＡＭ７７に格納し（Ｓ４）、書込開始ボタン５が操作されたか否かを判別する（Ｓ５）。この判別が“ＹＥＳ”の場合、すなわち、書込開始ボタン５が操作された場合はＳ６に移り、“ＮＯ”の場合、すなわち、書込開始ボタン５が操作されていない場合はＳ１５に移る。ついで、書込開始ボタン５が操作されると、ＲＡＭ７７に格納された外部情報に基づいてＩＣカード書込開始信号をＩＣカード読取書込部４１へ送信し（Ｓ６）、このＩＣカード書込開始信号に基づいてＩＣカード読取書込部４１によるＩＣカード２の書込みが終了したか否かを判別する（Ｓ７）。この判別が“ＹＥＳ”の場合、すなわち、ＩＣカード読取書込部４１の書込みが終了した場合はＳ８に移り、“ＮＯ”の場合、すなわち、ＩＣカード読取書込部４１の書込みが終了していない場合はこのまま待機する。ついで、ＩＣカード読取書込部４１の書込みが終了すると、後に図１０を参照して説明するＩＣカード読取処理を行う（Ｓ８）。
【００７３】
つぎに、図９を参照して、ＩＣカード読取処理が終了すると、読み取った情報を選別、すなわち、ＲＡＭ７７に格納されたデータの中から特定のデータを抽出し（Ｓ１１）、この抽出した特定のデータを２次元コード印字データに変換し（Ｓ１２）、その変換した２次元コード印字データをＲＡＭ７７に格納する（Ｓ１３）。ついで、印字消去部３８へ印字開始信号を送信し（Ｓ１４）、ＩＣカード排出ボタン７が操作されたか否かを判別する（Ｓ１５）。この判別が“ＹＥＳ”の場合、すなわち、ＩＣカード排出ボタン７が操作された場合はＳ１６に移り、“ＮＯ”の場合、すなわち、ＩＣカード排出ボタン７が操作されていない場合はＳ３に移る。ついで、ＩＣカード排出ボタン７が操作された場合はＩＣカード２を排出し（Ｓ１６）、ＲＡＭ７７に格納されたデータを消去し（Ｓ１７）、Ｓ１に移る。
【００７４】
つぎに、図１０を参照して、ＩＣカード読取処理について説明する。まず、ＩＣカード読取書込部４１へＩＣカード読取開始信号を送信し（Ｓ２１）、ＩＣカード読取書込部４１によりＩＣカード２からデータが読み出されたか否かを判別する（Ｓ２２）。この判別が“ＹＥＳ”の場合、すなわち、データが読み出された場合はＳ２３に移り、“ＮＯ”の場合、すなわち、データが読み出されていない場合はこのまま待機する。ついで、ＩＣカード２からデータが読み出されると、その読み出されたデータをＲＡＭ７７に格納し（Ｓ２３）、次のステップ（Ｓ３又はＳ１１）に移る。
【００７５】
次に、図１１を参照して、２次元コードデータ格納処理について説明する。まず、２次元コード読取部４３から２次元コードデータを受信したか否かを判別する（Ｓ３１）。この判別が“ＹＥＳ”の場合、すなわち、２次元コードデータを受信した場合はＳ３２に移り、“ＮＯ”の場合、すなわち、２次元コードデータを受信していない場合はこのまま待機する。ついで、２次元コードデータを受信すると、その受信した２次元コードデータをＲＡＭ７７に格納し（Ｓ３２）、Ｓ３１に移る。
【００７６】
つぎに、図１２を参照して、表示制御処理について説明する。まず、ＲＡＭ７７にデータ（ＩＣチップ１５から読み取ったデータや可逆性感熱記録媒体１３から読み取った２次元コードデータ）が格納されているか否かを判別する（Ｓ４１）。この判別が“ＹＥＳ”の場合、すなわち、データが格納されている場合はＳ４２に移り、“ＮＯ”の場合、すなわち、データが格納されていない場合はこのまま待機する。ついで、データが格納されていると、ＲＡＭ７７に格納されたデータに基づいて液晶表示装置９を制御し、そのデータの内容を表示させる（Ｓ４２）。ついで、ＩＣカード表示切替ボタン１１ａ又は２次元コード表示切替ボタン１１ｂが操作されたか否かを判別する（Ｓ４３）。この判別が“ＹＥＳ”の場合、すなわち、いずれかの表示切替ボタンが操作された場合はＳ４４に移り、“ＮＯ”の場合、すなわち、いずれの表示切替ボタンも操作されていない場合はＳ４５に移る。いずれかの表示切替ボタンが操作されると、その操作に応じた内容を液晶表示装置９に表示させる（Ｓ４４）。具体的には、ＩＣカード表示切替ボタン１１ａが操作されると、ＩＣチップ１５から読み取ったデータの内容を液晶表示装置９の表示画面９ａに表示し、２次元コード表示切替ボタン１１ｂが操作されると、可逆性感熱記録媒体１３から読み取った２次元コードデータの内容を液晶表示装置９の表示画面９ａに表示する。なお、いずれかの表示切替ボタンが操作されるまで外部情報が表示される。ついで、Ｓ４５に移る。
【００７７】
つぎに、ＩＣカード排出ボタン７が操作されたか否かを判別する（Ｓ４５）。この判別が“ＹＥＳ”の場合、すなわち、操作された場合はＳ４６に移り、“ＮＯ”の場合、すなわち、操作されていない場合はＳ４３に移る。ＩＣカード排出ボタン７が操作されると、液晶表示装置９に表示されている内容の表示を終了し（Ｓ４６）、ＲＡＭ７７に格納されたデータが消去されたか否かを判別する（Ｓ４７）。この判別が“ＹＥＳ”の場合、すなわち、消去された場合はＳ４１に移り、“ＮＯ”の場合、すなわち、消去されていない場合はこのまま待機する。
【００７８】
つぎに、図１３に示すフローチャートを参照して、ＩＣカード読取書込部４１のＩＣカード読取手段１０９の制御動作について説明する。まず、ＩＣカード読取開始信号を受信したか否かを判別する（Ｓ５１）。この判別が“ＹＥＳ”の場合、すなわち、ＩＣカード読取開始信号を受信した場合はＳ５２に移り、“ＮＯ”の場合、すなわち、ＩＣカード読取開始信号を受信していない場合はこのまま待機する。ついで、ＩＣカード読取開始信号を受信すると、ＩＣカード２に書き込まれたデータを読み取り（Ｓ５２）、その読み取ったデータをＣＰＵ７３に送信し（Ｓ５３）、Ｓ５１に移る。
【００７９】
つぎに、図１４に示すフローチャートを参照して、ＩＣカード読取書込部４１のＩＣカード書込手段１１１の制御動作について説明する。まず、ＩＣカード書込開始信号を受信したか否かを判別する（Ｓ６１）。この判別が“ＹＥＳ”の場合、すなわち、ＩＣカード書込開始信号を受信した場合はＳ６２に移り、“ＮＯ”の場合、すなわち、ＩＣカード書込開始信号を受信していない場合はこのまま待機する。ついで、ＩＣカード書込開始信号を受信すると、ＲＡＭ７７に格納された外部情報に関するデータ（情報処理手段１０１によって処理されたデータ）、すなわち外部情報をＩＣカード２に書き込み（Ｓ６２）、ＩＣカード書込終了信号を送信し（Ｓ６３）、Ｓ６１に移る。
【００８０】
つぎに、図１５に示すフローチャートを参照して、２次元コード印字消去部３８の制御動作について説明する。まず、印字開始信号を受信したか否かを判別する（Ｓ７１）。この判別が“ＹＥＳ”の場合、すなわち、印字開始信号を受信した場合はＳ７２に移り、“ＮＯ”の場合、すなわち、印字開始信号を受信していない場合はこのまま待機する。ついで、印字開始信号を受信すると、可逆性感熱記録媒体１３に印字されている２次元コード６１等（ＩＣカード情報６３を含む）を消去し（Ｓ７２）、ＲＡＭ７７に格納された２次元コード印字データに基づいて２次元コード６１を印字し（Ｓ７３）、Ｓ７１に移る。
【００８１】
つぎに、図１６に示すフローチャートを参照して、２次元コード読取部４３の制御動作について説明する。まず、２次元コード６１を検出したか否かを判別する（Ｓ８１）。この判別が“ＹＥＳ”の場合、すなわち、２次元コード６１を検出した場合はＳ８２に移り、“ＮＯ”の場合、すなわち、２次元コード６１を検出していない場合はこのまま待機する。ついで、２次元コード６１を検出すると、印字されている２次元コード６１を読取り（Ｓ８２）、その読み取った２次元コードを２次元コードデータとしてＣＰＵ７３に送信し（Ｓ８３）、Ｓ８１に移る。
【００８２】
図１７は、本発明のＩＣカードリーダライタ装置の第２の実施の形態を示す。図示のＩＣカードリーダライタ装置１は、後述のホッパー部１３１と、後述の消去部１３３と、ＩＣ・プリント・不良排出部１３７と、後述のスタッカ部１３９とを備える。
【００８３】
より詳しく説明すると、ホッパー部１３１は、これからＩＣチップ１５に格納される情報の読み取りおよびＩＣチップ１５への所定の情報の書込み(必要に応じて消去と書込み)と２次元コード６１およびＩＣカード情報６３の印字および消去を行うためのＩＣカード２（以下、「未使用のＩＣカード２」という）を格納するＩＣカード格納部１４１と、ＩＣカード格納部１４１に格納された未使用のＩＣカード２を送り出す送出部１４３とで構成される。なお、本発明は、未使用のＩＣカード２に対して書込み処理を行う場合にとどまらず、使用済みのＩＣカード２を上記「未使用のＩＣカード２」としてホッパー部１３１にセットし、書き換え処理を行う場合を含む趣旨である。
【００８４】
消去部１３３は、前述のロールヘッド３５と、１３個のプラテンロール３９と、プラテンロール３９に回転駆動され、ＩＣカード２を搬送する搬送ベルト１４５とで構成される。ＩＣ・プリント・不良排出部１３７は、前述のＩＣカード読取書込部４１と、前述のサーマルヘッド３７と、１１個のプラテンロール３９と、上記搬送ベルト１４５と、回転駆動により正常なＩＣカード２と異常なＩＣカード２を選別するＩＣカード選別部１４７と、ＩＣカード選別部１４７によって選別された異常なＩＣカード２を受けるＩＣカード受１４９とで構成される。スタッカ部１３９は、ＩＣチップ１５に格納される情報の読み取りおよびＩＣチップ１５への所定の情報の書込み、２次元コード６１およびＩＣカード情報６３の印字等を終えた後述の正常なＩＣカード２を格納する。なお、上記プラテンロール３９は、図示しない駆動ベルトにより回転駆動されるようになっている。
【００８５】
ホッパー部１３１のＩＣカード格納部１４１に格納される未使用のＩＣカード２は、送出部１４３によって、消去部１３３の左上のプラテンロール３９とその下の搬送ベルト１４５間に送出される。詳細には、送出部１４３は、その上部に突起部を有し、図示の矢印の方向に移動（スライド）可能である。上記突起部は、ＩＣカード格納部１４１内に積層された未使用のＩＣカード２のうちもっとも下にあるものの側面（図示において左側面）と接触する。その未使用のＩＣカード２は、送出部１４３が右方向に移動すると、消去部１３３の左上のプラテンロール３９と搬送ベルト１４５間に向かって押し出されるようになっている。
【００８６】
送出部１４３によって押し出されたＩＣカード２は、消去部１３３の左上のプラテンロール３９と搬送ベルト１４５間に挟み込まれて移動し、ロールヘッド３５によって記録面の発色を消去され、ＩＣ・プリント・不良排出部１３７へ搬送される。ＩＣ・プリント・不良排出部１３７に搬送されたＩＣカード２は、ＩＣカード読取書込部４１によってＩＣチップ１５に格納された情報の読み取りおよび外部情報の書き込みが行われ、サーマルヘッド３７によって２次元コード６１等が印字される。
【００８７】
つぎに、ＩＣカード２は、ＩＣカード選別部１４７によって正常なＩＣカード２と異常なＩＣカード２とが選別される。ここで、異常なＩＣカード２とは、例えば、ＩＣチップ１５の損傷等によりＩＣカード読取書込部４１の情報の読み取りや外部情報の書き込みが正常に行えなかった場合（書込みエラーが生じた場合）、可逆性感熱記録媒体１３の損傷等によりロールヘッド３５によって記録面の発色が正常に消去できなかった場合、サーマルヘッド３７によって２次元コード６１等が正常に印字できなかった場合である。上記記録面の消去や印字の不良は、図示しないＣＣＤカメラ等により検知することができる。また、正常なＩＣカード２と異常なＩＣカード２との判別は、前述の制御回路７１のＣＰＵ７３によって行われる。
【００８８】
図１７に示すように、搬送されるＩＣカード２が制御回路７１のＣＰＵ７３によって異常なＩＣカード２と判別されると、ＩＣカード選別部１４７が図示の矢印で示すように上方向に回動し、スタッカ部１３９への搬送が阻止される。ＩＣカード選別部１４７に阻止されたＩＣカード２は、ＩＣカード選別部１４７と接触して撓み、ＩＣカード受１４９に格納される。すなわち、異常なＩＣカード２は、ＩＣカード選別部１４７によってはじかれて、ＩＣカード受１４９に格納される。正常なＩＣカード２と判別された場合はＩＣカード選別部１４７は回転駆動されず、ＩＣカード２は、スタッカ部１３９へ搬送される。なお、ＩＣカード選別部１４７を回転駆動させる駆動装置は図示していない。
【００８９】
これにより、連続して、かつ素早く、未使用のＩＣカード２への情報の読み取り等（所定の情報の書込みと２次元コード６１およびＩＣカード情報６３の印字および消去を含む）を行うことができるとともに、書込みエラー等のない正常なＩＣカード２を選別することができる。また、未使用のＩＣカード２への情報の読み取り等からＩＣカード２の選別まで自動で行うことができるため、使用者の手間や労力を省くことができる。
【００９０】
すなわち、第２の実施の形態のＩＣカードリーダライタ装置１は、２次元コード６１を印字および消去可能な可逆性感熱記録媒体１３と、所定の情報を格納するＩＣチップ１５とを有するＩＣカード２に情報の読み書きを行うＩＣカードリーダライタ装置１であって、ＩＣチップ１５に所定の情報を書き込むＩＣカード書込手段１１１と、ＩＣチップ１５に格納された情報を読み取るＩＣカード読取手段１０９とで構成されたＩＣカード読取書込部４１と、可逆性感熱記録媒体１３に２次元コード６１を印字する印字手段１１５と、可逆性感熱記録媒体１３に印字された２次元コード６１を消去する消去手段１１７とで構成された印字消去部３８と、データ変換手段１０５で変換されたデータに基づいて印字消去部３８を制御して、ＩＣチップ１５に格納された所定の情報のうちの少なくとも一部を、可逆性感熱記録媒体１３にバックアップとして印字するようにＩＣカード読取書込部４１および印字消去部３８を制御する制御回路７１と、ＩＣカード読取書込部４１で読み取ったおよび／または書き込む情報を２次元コード６１として印字可能なデータに変換するデータ変換手段１０５と、正常なＩＣカード２と異常なＩＣカード２を選別するＩＣカード選別部１４７とを備える。
【００９１】
したがって、正常なＩＣカード２と異常なＩＣカード２を選別することができるため、使用者は正常なＩＣカード２のみを使用することができる。また、前述のようなバックアップとしての機能を強化することができ、使用者は安心してＩＣカード２を使用することできる。
【００９２】
さらに、未使用のＩＣカード２を格納し、当該未使用のＩＣカード２をＩＣチップ１５に所定の情報を書き込むＩＣカード書込手段１１１、ＩＣチップ１５に格納された情報を読み取るＩＣカード読取手段１０９、可逆性感熱記録媒体１３に２次元コード６１を印字する印字手段１１５と、可逆性感熱記録媒体１３に印字された２次元コード６１を消去する消去手段１１７のうちいずれかに送り出すホッパー部１３１とを備える。このため、ホッパー部１３１に、予め未使用のＩＣカード２を格納しておくことで、ＩＣチップ１５に格納される情報の読み取りおよびＩＣチップ１５への所定の情報の書込みと２次元コード６１およびＩＣカード情報６３の印字および消去を行うための行為（例えば、未使用のＩＣカード２をセットする等）の手間や労力を省くことができ、連続的に多数のＩＣカード２の書込みや書き換えを行うことができる。
【００９３】
さらに、ＩＣチップ１５に格納される情報の読み取り、ＩＣチップ１５への所定の情報の書込み、２次元コード６１またはＩＣカード情報６３の印字のうちすくなくともいずれかを終えたＩＣカード２（例えば、正常なＩＣカード２）を格納するスタッカ部１３９を備える。したがって、ＩＣチップ１５に格納される情報の読み取り、ＩＣチップ１５への所定の情報の書込み、２次元コード６１またはＩＣカード情報６３の印字を終えたＩＣカード２をストックしておくことができるため、必要な場合にすぐにＩＣカード２を使用することができる。このため、例えば、ＩＣチップ１５への所定の情報の書込み等を終えたＩＣカード２を大量に必要な場合でもスタッカ部１３９からＩＣカード２を取り出すことで、すぐにＩＣカード２を使用することができる。
【００９４】
上記各実施の形態では、前述の可逆性感熱記録手段として、転写型の可逆性感熱記録媒体を採用しているが、これに限定するものではなく、基材と、ロイコ染料を主成分として含有し加熱により可逆的に情報の記録消去を行い得る可逆性感熱記録層と、可逆性感熱記録層の表面を保護するための保護層と、ロイコ染料の付着による不可逆な発色を隠蔽するための隠蔽部層と、この可逆性感熱記録媒体をカード基材等に接着させるための接着層とから構成される貼付型の可逆性感熱記録媒体を採用してもよい。
【００９５】
また、上記各実施の形態では、前述の所定の情報は、外部から入力された情報であるが、これに限定するものではなく、ＩＣカードリーダライタ装置の所定の記憶装置に予め記憶された情報でもよい。これにより、決まった情報をＩＣカードのＩＣチップに格納する場合に好適である。上記外部とは、ＩＣカードリーダライタ装置に接続されたコンピュータ、インターネット、入力装置等でもよい。
【００９６】
また、上記各実施の形態では、前述の表示手段である液晶表示装置は、ＩＣカードリーダライタ装置に設けられているが、これに限定するものではなく、ＩＣカードリーダライタ装置に接続された液晶表示装置でもよい。
【００９７】
また、上記各実施の形態では、ＩＣカードは、ＩＣカードリーダライタ装置のＩＣカード読取書込部と非接触で情報の送受信を行うが、これに限定するものではなく、ＩＣカードの表面に、ＩＣカードと情報の送受信を行うＩＣカードリーダライタ装置との接続のために金属製の導電性端子を設けてもよい。この場合、ＩＣカードリーダライタ装置のＩＣカード読取書込部にＩＣカードとの接続のために金属製の導電性端子を設けてもよい。
【図面の簡単な説明】
【００９８】
【図１】本発明の一実施の形態のＩＣカードリーダライタ装置を示す斜視図である。
【図２】上記ＩＣカードリーダライタ装置に使用するＩＣカードの展開図である。
【図３】本発明に使用する可逆性感熱記録媒体の一例を示す断面構造図である。
【図４】上記ＩＣカードリーダライタ装置の断面図である。
【図５】上記可逆性感熱記録媒体の印字消去部に用いる加熱ヘッドを示す斜視図である。
【図６】上記加熱ヘッドの使用状態を示す側面図である。
【図７】上記ＩＣカードリーダライタ装置の果たす機能を示した機能ブロック図である。
【図８】上記ＩＣカードリーダライタ装置の制御回路の制御動作を示すフローチャートである。
【図９】図８に続くフローチャートである。
【図１０】上記制御回路のＩＣカード読取処理を示すフローチャートである。
【図１１】上記制御回路の２次元コードデータ格納処理を示すフローチャートである。
【図１２】上記制御回路の表示制御処理を示すフローチャートである。
【図１３】上記ＩＣカードリーダライタ装置のＩＣカード読取書込部のＩＣカード読取実行処理を示すフローチャートである。
【図１４】上記ＩＣカードリーダライタ装置のＩＣカード読取書込部のＩＣカード書込実行処理を示すフローチャートである。
【図１５】上記ＩＣカードリーダライタ装置の印字消去の２次元コード印字処理を示すフローチャートである。
【図１６】上記ＩＣカードリーダライタ装置の２次元コード読取部の２次元コード読取実行処理を示すフローチャートである。
【図１７】本発明のＩＣカードリーダライタ装置の第２の実施の形態を示す。
【符号の説明】
【００９９】
１    ＩＣカードリーダライタ装置
２    ＩＣカード
３    筐体
４    ＩＣカード挿入口
５    書込開始ボタン
７    ＩＣカード排出ボタン
９    液晶表示装置
９ａ  表示画面  
１１ａ  ＩＣカード表示切替ボタン
１１ｂ  ２次元コード表示切替ボタン
１３    可逆性感熱記録媒体
１５    ＩＣチップ
１７    アンテナ
１９    ＩＣカード基材
２１    感熱記録基材
２３    剥離層
２５    保護層
２７    可逆性感熱記録層
２９    バリアー層
３１    隠蔽層
３３    接着層
３５    ロールヘッド
３７    サーマルヘッド
３８    印字消去部
３９    プラテンロール
４１    ＩＣカード読取書込部
４３    ２次元コード読取部
４５    ローラ
４７    軸受ユニット
４９    ハウジング本体
５１    ハウジング
５３    ヒータ
５５    制御部
５７    温度ヒューズ
５９    接続ケーブル
６０    メタル軸受
６１    ２次元コード
６３    ＩＣカード情報
６５    ＩＣカードデータ送受信部
７１    制御回路
７３    ＣＰＵ
７５    ＲＯＭ
７７    ＲＡＭ
１０１    情報処理手段
１０３    データ選別手段
１０５    データ変換手段
１０７    表示制御手段
１０９    ＩＣカード読取手段
１１１    ＩＣカード書込手段
１１３    ２次元コード読取手段
１１５    印字手段
１１７    消去手段
１１９    表示手段  
１３１    ホッパー部
１３３    消去部
１３７    ＩＣ・プリント・不良排出部
１３９    スタッカ部
１４１    ＩＣカード格納部
１４３    送出部
１４５    搬送ベルト
１４７    ＩＣカード選別部
１４９    ＩＣカード受
【図１】
2005056047.tif 000003
【図２】
2005056047.tif 000004
【図３】
2005056047.tif 000005
【図４】
2005056047.tif 000006
【図５】
2005056047.tif 000007
【図６】
2005056047.tif 000008
【図７】
2005056047.tif 000009
【図８】
2005056047.tif 000010
【図９】
2005056047.tif 000011
【図１０】
2005056047.tif 000012
【図１１】
2005056047.tif 000013
【図１２】
2005056047.tif 000014
【図１３】
2005056047.tif 000015
【図１４】
2005056047.tif 000016
【図１５】
2005056047.tif 000017
【図１６】
2005056047.tif 000018
【図１７】
2005056047.tif 000019